(57)【要約】  フェムト基地局の送信電力をできるだけ小さく抑えながら、フェムト基地局の設置場所と移動局の使用場所によらず、フェムト基地局に接続が許可された移動局に対して良好な通信品質を提供するため、フェムト基地局４は、マクロ基地局３から共通パイロット信号を受信して受信品質（例えば受信電力又は受信ＳＩＲ）を測定し、当該受信品質に基づいて自身が送信するパイロット信号の送信電力Ptxを設定する。また、フェムト基地局４は、フェムトセル６内で共通パイロット信号の送信を送信電力Ptxで行うと共に、複数の移動局７−２〜７−４との通信を行なう。さらに、フェムト基地局４は、フェムト基地局４から送信される共通パイロット信号の受信品質レベルの測定結果を移動局７−２〜７−４から受信し、複数の受信品質レベルの中での最低レベルが予め定められた目標レベルに近づくように、共通パイロット信号の送信電力Ptxを再設定する。
2009047972.tif 000002
【特許請求の範囲】
【請求項１】
第一の基地局は、第一のセル内において、第一の送信電力で第一のパイロット信号の送信を行うと共に、移動局との通信を行ない、
第二の基地局は、前記第一のパイロット信号の受信品質を測定し、前記受信品質に基づいて第二の送信電力を設定し、第二のセル内において、第二のパイロット信号の送信を前記第二の送信電力で行うと共に、前記第二の基地局との接続が許可された複数の許可済み移動局との通信を行い、
前記許可済み移動局は、前記第二のパイロット信号の受信品質レベルを測定し、前記受信品質レベルの測定結果を前記第二の基地局に報告し、
前記第二の基地局は、前記測定結果に基づいて、複数の前記許可済み移動局の各々により測定された複数の前記受信品質レベルの中での最低レベルが予め定められた目標レベルに近づくように、前記第二の送信電力を再設定する無線通信システム。
【請求項２】
前記第二の基地局は、前記目標レベルと前記最低の受信品質レベルとの差を前記第二の送信電力の現在値に加えることで前記第二の送信電力を再設定することを特徴とする請求項１に記載の無線通信システム。
【請求項３】
複数の前記許可済み移動局の各々は、前記測定と前記報告を複数回数実施し、
前記第二の基地局は、前記許可済み移動局の各々について、前記第二のパイロット信号の受信品質レベルのＸパーセント値（ただし、Ｘは０以上、１００以下の数値）を求め、複数の前記許可済み移動局の各々に関する複数の前記Ｘパーセント値の中での最低値が前記目標レベルに近づくように、前記第二の送信電力を再設定することを特徴とする請求項１に記載の無線通信システム。
【請求項４】
前記第二の基地局は、前記目標レベルと複数の前記Ｘパーセント値の最低値との差を前記第二の送信電力の現在値に加えることで前記第二の送信電力を再設定することを特徴とする請求項３に記載の無線通信システム。
【請求項５】
前記第二の基地局は、前記第一のパイロット信号の受信品質に基づいて、前記第二のパイロット信号の初期送信電力を決定し、前記初期送信電力で前記第二のパイロット信号の送信を開始することを特徴とする請求項１〜４のいずれか１項に記載の無線通信システム。
【請求項６】
前記第二の基地局は、前記第一のパイロット信号の受信品質に基づいて、前記第二の送信電力の最大値及び最小値の少なくとも一方を設定し、前記最大値と前記最小値の範囲内で前記第二の送信電力の再設定を行なうことを特徴とする請求項１〜５のいずれか１項に記載の無線通信システム。
【請求項７】
前記第二のパイロット信号の受信品質レベルの測定は、前記許可済み移動局が前記第二の基地局と通信を行なっている間、または前記許可済み移動局と前記第二の基地局との通信の終了を契機として実行されることを特徴とする請求項１〜６のいずれか１項に記載の無線通信システム。
【請求項８】
前記許可済み移動局が予め定められた時間内に前記測定結果を前記第二の基地局に報告しない場合に、前記第二の基地局は、前記測定結果を未報告の前記許可済み移動局に対して前記第二のパイロット信号の受信品質レベルの測定を指示し、
前記許可済み移動局は、前記指示に応じて、前記受信品質レベルの測定を実施することを特徴とする請求項１〜７のいずれか１項に記載の無線通信システム。
【請求項９】
前記第二の基地局は、前記第二の基地局の前記第二のセルにおける全送信電力に対する前記第二の送信電力の比率が予め定められた所定値未満とならないようにすることを特徴とする請求項１〜８のいずれか１項に記載の無線通信システム。
【請求項１０】
無線アクセス方式としてＣＤＭＡ方式を用いることを特徴とする請求項１〜９のいずれか１項に記載の無線通信システム。
【請求項１１】
前記第一及び第二の基地局と前記移動局及び前記許可済み移動局は、無線周波数帯域を分割する複数のリソースブロックのうち、少なくとも１つのリソースブロックを用いて情報を送信することを特徴とする請求項１〜９のいずれか１項に記載の無線通信システム。
【請求項１２】
前記第二の基地局によって測定される前記第一のパイロット信号の受信品質は、受信電力又は受信ＳＩＲである請求項１〜１１のいずれか１項に記載の無線通信システム。
【請求項１３】
第一の基地局は、第一のセル内において、第一の送信電力で第一のパイロット信号の送信を行うと共に、移動局との通信を行ない、
第二の基地局は、前記第一のパイロット信号の受信品質を測定し、前記受信品質に基づいて第二の送信電力を設定し、第二のセル内において、第二のパイロット信号の送信を前記第二の送信電力で行うと共に、前記第二の基地局との接続が許可された複数の許可済み移動局との通信を行い、
前記許可済み移動局は、前記第二のパイロット信号の受信品質レベルを測定し、前記受信品質レベルの測定結果を前記第二の基地局に報告し、
前記第二の基地局は、前記測定結果に基づいて、複数の前記許可済み移動局の各々により測定された複数の前記受信品質レベルの中での最低レベルが予め定められた目標レベルに近づくように、前記第二の送信電力を再設定することを特徴とする無線通信方法。
【請求項１４】
前記第二の基地局は、前記第一のパイロット信号の受信品質に基づいて、前記第二の送信電力の最大値及び最小値の少なくとも一方を設定し、前記最大値と前記最小値の範囲内で前記第二の送信電力の再設定を行なうことを特徴とする請求項１３に記載の無線通信方法。
【請求項１５】
無線通信システムで使用される基地局であって、
第一のセル内において、第一の送信電力で第一のパイロット信号の送信を行う第一の基地局から、前記第一のパイロット信号を受信して受信品質を測定する手段と、
前記第一のパイロット信号の受信品質に基づいて第二の送信電力を設定し、第二のセル内において、第二のパイロット信号の送信を前記第二の送信電力で行うと共に、当該基地局との接続が許可された複数の許可済み移動局との通信を行なう手段と、
複数の前記許可済み移動局から報告される前記第二のパイロット信号の受信品質レベルの測定結果に基づいて、複数の前記許可済み移動局の各々により測定された複数の前記受信品質レベルの中での最低レベルが予め定められた目標レベルに近づくように、前記第二の送信電力を再設定する手段とを備える基地局。
【請求項１６】
前記第一のパイロット信号の受信品質に基づいて、前記第二の送信電力の最大値及び最小値の少なくとも一方を設定し、前記最大値と前記最小値の範囲内で前記第二の送信電力の再設定を行なうことを特徴とする請求項１５に記載の基地局。
【請求項１７】
無線通信システムで使用される基地局の制御方法であって、
第一のセル内において、第一の送信電力で第一のパイロット信号の送信を行う第一の基地局から、前記第一のパイロット信号を受信して受信品質を測定し、
前記第一のパイロット信号の受信品質に基づいて第二の送信電力を設定し、第二のセル内において、第二のパイロット信号の送信を前記第二の送信電力で行うと共に、当該基地局との接続が許可された複数の許可済み移動局との通信を行い、
前記許可済み移動局から報告される前記第二のパイロット信号の受信品質レベルの測定結果に基づいて、複数の前記許可済み移動局の各々により測定された複数の前記受信品質レベルの中での最低レベルが予め定められた目標レベルに近づくように、前記第二の送信電力を再設定する、基地局の制御方法。
【請求項１８】
無線受信手段と無線送信手段を有する基地局に関する制御処理をコンピュータに実行させる基地局制御プログラムであって、
前記制御処理は、
第一のセル内において、第一の基地局から第一の送信電力で送信される第一のパイロット信号の受信品質を、前記前記無線受信手段に測定させる処理と、
前記第一のパイロット信号の受信品質に基づいて第二の送信電力を設定し、前記無線送信手段に第二のパイロット信号の送信を前記第二の送信電力で行わせる処理と、
当該基地局との接続が許可された複数の許可済み移動局から報告される前記第二のパイロット信号の受信品質レベルの測定結果に基づいて、複数の前記許可済み移動局の各々により測定された複数の前記受信品質レベルの中での最低レベルが予め定められた目標レベルに近づくように、前記第二の送信電力を前記無線送信手段に再設定する処理とを含む基地局制御プログラム。
【発明の詳細な説明】
【技術分野】
【０００１】
本発明は、無線通信システムに関し、特に、少なくとも一部の基地局が共通パイロット信号の送信電力を自律的に設定する無線通信システム、無線通信方法、及び基地局に関する。
【背景技術】
【０００２】
近年、携帯電話の普及による屋内での音声通信やデータ通信の需要の増大に伴い、屋内に設置される家庭用基地局の開発が進められている。このような家庭用基地局の運用形態として、予め登録された移動局のみが家庭用基地局に接続して通信を行なうことが検討されている。家庭用基地局がカバーする範囲は、屋外に設置される基地局に比べて極めて小さいことから、フェムトセルと呼ばれる。そこで、以下、家庭用基地局をフェムト基地局と呼ぶ。【０００３】
フェムト基地局及び既存の移動通信網における基地局は、共通パイロット信号を送信する。移動局は、その共通パイロット信号を受信することにより、同期確立及びチャネル推定等を行なって、基地局との間でデータの送受信を行なう。このため、移動局において共通パイロット信号を良好な受信品質で受信できるようにすることが、良好な通信品質を提供するために必要である。【０００４】
既存の移動通信網における基地局では、各セルにおいて送信する共通パイロット信号の送信電力は、予め固定的に定められている。これに対して、フェムト基地局がフェムトセルにおいて送信する共通パイロット信号の送信電力は、フェムト基地局が自律的に設定することが検討されている。このような方法は、特許文献１（14ページ 8行目〜15ページ 21行目）に開示されている。【０００５】
図８を用いて、その具体例を説明する。図８を参照すると、マクロ基地局８１は、マクロセル８０１を形成し、一定の送信電力で共通パイロット信号ＣＰ１を送信しており、移動局（図示せず）と通信を行っている。フェムト基地局９１Ａ及び９１Ｂは、それぞれフェムトセル８０２Ａ及び８０２Ｂを形成する。そして、フェムト基地局９１Ａ及び９１Ｂの各々は、マクロ基地局８１の共通パイロット信号ＣＰ１の受信電力Pmacro [dBm]を測定し、マクロ基地局８１と同一の無線周波数を用いて、Pmacro + Poffset [dBm]を送信電力として共通パイロット信号ＣＰ２Ａ及びＣＰ２Ｂを送信し、移動局（図示せず）と通信を行なう。ここで、Poffsetは、全てのフェムトセル８０２Ａ及び８０２Ｂに共通な一定値である。【０００６】
以上のようなフェムト基地局は、WCDMAやE-UTRANなどのシステムの中で使用することが検討されている。WCDMAでは、非特許文献１に記載されているように、上り回線と下り回線における送信電力制御された個別チャネルを用いたデータ送信や、下り回線における共用チャネルを用いたデータ送信が行われる。また、E-UTRANでは、非特許文献２に記載されているように、無線周波数の帯域が複数のリソースブロック（PRB；Physical Resource Block）に分割される。E-UTRANの基地局に備えられたスケジューラがPRBの割当を行ない、基地局は割り当てられたPRBを用いて移動局との間のデータ送信を行う。
【特許文献１】英国特許出願公開第２４２８９３７号明細書
【特許文献２】特開平１０−１３９０９号公報
【特許文献３】特開２００１−３３９３４１号公報
【特許文献４】特表２００５−５１５６４８号公報
【特許文献５】特開２００５−７３２９０号公報
【非特許文献１】3GPP TS 25.214 V7.3.0 (2006-12), 3rd Generation Partnership Project; Technical Specification Group Radio Access Network; Physical layer procedures (FDD)(Release 7)
【非特許文献２】3GPP TS 36.300 V8.1.0 (2007-06), 3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 8)
【発明の開示】
【発明が解決しようとする課題】
【０００７】
次に、図８のフェムト基地局９１Ａ及び９１Ｂの各々が、図９Ａ及び図９Ｂに示すように建物９０の屋内に設置されている場合について分析する。フェムト基地局を屋内に設置する場合、図９Ａのように、フェムト基地局９１Ａを窓際（窓９０１の近く）に設置する場合と、図９Ｂのように、フェムト基地局９１Ｂを窓９０１から離れた場所に設置する場合が考えられる。また、フェムト基地局９１Ａ又は９１Ｂと通信を行なう移動局も、図９Ａの移動局９２Ａのように窓９０１から離れた場所に位置する場合と、図９Ｂの移動局９２Ｂのように窓９０１の近くに位置する場合が考えられる。【０００８】
このフェムト基地局９１Ａ及び９１Ｂと同一の無線周波数を使用するマクロ基地局８１の共通パイロット信号ＣＰ１は、建物９０の外から屋内に侵入するが、屋内に侵入した共通パイロット信号ＣＰ１は、窓９０１から離れるに従って減衰する。また、マクロ基地局８１から屋内に侵入する干渉信号も同様に窓９０１から離れるに従って減衰する。【０００９】
このため、フェムト基地局９１Ｂの場合は、フェムト基地局９１Ａの場合に比べて、共通パイロット信号ＣＰ１の受信電力Pmacroが小さいために、フェムト基地局９１Ｂの共通パイロット信号ＣＰ２Ｂの送信電力が小さくなり、それに応じて移動局９２Ｂにおける共通パイロット信号ＣＰ２Ｂの受信電力は、移動局９２Ａにおける共通パイロット信号ＣＰ２Ａに比べて小さくなる。さらに、窓際の移動局９２Ｂにおいては、移動局９２Ａに比べて、マクロ基地局８１からの干渉電力が大きい。このため、移動局９２Ｂにおける通信品質は移動局９２Ａに比べて大きく劣ることになる。このように、屋内の通信品質は、フェムト基地局の設置場所と移動局の使用場所に大きく依存するため、一定の良好な通信品質が得られないという問題がある。【００１０】
屋内の通信品質を改善するために、これらのフェムト基地局９１Ａ及び９１Ｂの共通パイロット信号ＣＰ２Ａ及びＣＰ２Ｂの送信電力を高めに設定することも考えられる。しかし、共通パイロット信号ＣＰ２Ａ及びＣＰ２Ｂの送信電力を高めに設定すると、特に図９Ａの場合に、フェムト基地局９１Ａに登録されていない移動局９２Ｃがフェムト基地局９１Ａの間近でマクロ基地局８１と通信を行なっているときに、フェムト基地局９１Ａの共通パイロット信号ＣＰ２Ａなどの送信信号が、移動局９２Ｃの下り回線に大きな干渉となるという問題が生じる。【００１１】
なお、特許文献２には、他の基地局（上位階層の基地局）が送信する通話チャンネル（その受信電力）を監視し、それに応じて、自身の通話チャンネルの送信電力を制御する基地局が開示されている。つまり、特許文献２に開示された基地局は、通話チャネルの送信電力調整を行なうものであって、基地局によってカバーされる空間、セル半径を規定する信号として基地局から送信されるパイロット信号の送信電力を、他の基地局から送信されるパイロット信号の受信レベルに応じて調整するものではない。また、特許文献２に開示された基地局は、上述した「屋内の通信品質は、フェムト基地局の設置場所と移動局の使用場所に大きく依存するため、一定の良好な通信品質が得られないという問題」を解決するものではない。【００１２】
また、特許文献３には、他の基地局による不感地域をカバーするために設けられる補完基地局が開示されており、他の基地局からのパイロット信号の受信レベルを測定し、不感地域を生じないように、自身の送信電力を規定することを特徴としている。しかしながら、特許文献３に開示された補間基地局は、上述した"屋内の通信品質は、フェムト基地局の設置場所と移動局の使用場所に大きく依存するため、一定の良好な通信品質が得られないという問題"を解決するものではない。【００１３】
また、特許文献４に開示された発明は、通信システムが設置された空間内のどこでもパイロット信号が十分に強いことを保証し、通信システムの有効範囲内に不感地域を生じないようにすることを目的としている。このため、特許文献４に開示された通信システムが有する基地局は、移動局によって測定されたパイロット信号の受信レベルを移動局から受信し、パイロット信号の送信電力を調整する。しかしながら、上述したように、単に基地局のパイロット信号の送信電力を大きくしたのでは、セル間干渉を増大させる問題がある。特許文献４に開示された通信システムは、この問題を解決するものではない。【００１４】
また、特許文献５には、移動局で測定された受信品質を移動局から受信し、移動局に送信する下りチャネルの送信電力を調整する基地局が開示されている。しかしながら、移動局による下りチャネルの受信品質が低いことに応じて、単に下りチャネルの送信電力を大きくしたのでは、セル内干渉及びセル間干渉を十分に抑制できないおそれがある。【００１５】
本発明は上記知見に基づいて創案されたものであって、本発明の目的は、フェムト基地局の送信電力をできるだけ小さく抑えながら、フェムト基地局の設置場所と移動局の使用場所によらず、フェムト基地局に接続が許可された移動局に対して良好な通信品質を提供できる無線通信システム、無線通信方法、基地局、基地局の制御方法、及び基地局の制御プログラムを提供することにある。
【課題を解決するための手段】
【００１６】
本発明の第１の態様にかかる無線通信システムは、第一の基地局、第二の基地局及び少なくとも1つの許可済み移動局とを備える。前記第一の基地局は、第一のセル内において、第一の送信電力で第一のパイロット信号の送信を行うと共に、移動局との通信を行なう。前記第二の基地局は、前記第一のパイロット信号の受信品質を測定し、前記受信品質に基づいて第二の送信電力を設定し、第二のセル内において、第二のパイロット信号の送信を前記第二の送信電力で行うと共に、前記第二の基地局との接続が許可された複数の許可済み移動局との通信を行う。前記許可済み移動局は、前記第二のパイロット信号の受信品質レベルを測定し、前記受信品質レベルの測定結果を前記第二の基地局に報告する。そして、前記第二の基地局は、さらに、前記測定結果に基づいて、複数の前記許可済み移動局の各々により測定された複数の前記受信品質レベルの中での最低レベルが予め定められた目標レベルに近づくように、前記第二の送信電力を再設定する。【００１７】
また、本発明の第２の態様にかかる基地局は、第一のセル内において、第一の送信電力で第一のパイロット信号の送信を行う第一の基地局から、前記第一のパイロット信号を受信して受信品質を測定する手段と、前記第一のパイロット信号の受信品質に基づいて第二の送信電力を設定し、第二のセル内において、第二のパイロット信号の送信を前記第二の送信電力で行うと共に、当該基地局との接続が許可された複数の許可済み移動局との通信を行なう手段と、複数の前記許可済み移動局から報告される前記第二のパイロット信号の受信品質レベルの測定結果に基づいて、複数の前記許可済み移動局の各々により測定された複数の前記受信品質レベルの中での最低レベルが予め定められた目標レベルに近づくように、前記第二の送信電力を再設定する手段とを有する。
【発明の効果】
【００１８】
上述したように、本発明の第１の態様にかかる無線通信システムが有する第二の基地局は、第一の基地局が送信する第一のパイロット信号の受信品質（例えば、受信電力又は受信ＳＩＲ）に基づいて第二のパイロット信号の送信電力（第二の送信電力）を設定するだけでなく、自身に接続が許可された許可済み移動局による第二のパイロット信号の受信品質レベルの測定結果を受信する。さらに、第二の基地局は、複数の測定結果の中で最低の受信品質レベルが予め定められた目標レベルに近づくように、パイロット信号の送信電力を調整する。許可済み移動局の各々によるパイロット信号の受信品質レベルの測定結果に応じて第二の送信電力を設定すると、第二の基地局に近い位置に存在するいずれかの許可済み移動局が測定報告を行なった後には、第二の送信電が小さくなり、第二の基地局から遠い位置に存在する許可済み移動局の通信品質が劣化する可能性がある。しかしながら、上述した第二の移動局によれば、複数の許可済み移動局の中で通信品質レベルが最低の移動局においても良好な通信品質が得られる。つまり、本発明の第１の態様にかかる無線通信システムは、第二の基地局に接続する複数の許可済み移動局の全てにおいて良好な通信品質が得られる。また、複数の許可済み移動局が最低限必要な品質に対応した値に目標レベルを設定することによって、第二の基地局の送信電力をできるだけ小さく抑えながら、複数の許可済み移動局に対して良好な通信品質を提供できる。
【図面の簡単な説明】
【００１９】
【図１】本発明の実施例１〜３のシステム構成を示す図である。
【図２】本発明の実施例１〜２のマクロ基地局の構成を示す図である。
【図３】本発明の実施例１〜３のフェムト基地局の構成を示す図である。
【図４】本発明の実施例１〜３の移動局の構成を示す図である。
【図５】本発明の実施例１の共通パイロット信号送信電力の設定手順を示す図である。
【図６】本発明の実施例２〜３の共通パイロット信号送信電力の設定手順を示す図である。
【図７】本発明の実施例３のマクロ基地局の構成を示す図である。
【図８】背景技術の説明のためのシステムの構成図である。
【図９Ａ】フェムト基地局と移動局の屋内における位置を示す図である。
【図９Ｂ】フェムト基地局と移動局の屋内における位置を示す図である。
【符号の説明】
【００２０】
１  マクロゲートウェー装置
２  フェムトゲートウェー装置
３  マクロ基地局
４  フェムト基地局
５  マクロセル
６  フェムトセル
７−１〜７−４  移動局
１０  ネットワーク
３０  アンテナ
３１  無線送受信部
３２  受信データ処理部
３３  送信データ処理部
３４  有線送受信部
３５  無線ネットワーク制御部
３６  移動局モード受信部
３７  無線ネットワーク制御データ設定部
【発明を実施するための最良の形態】
【００２１】
次に、本発明の実施の形態について図面を参照して説明する。
図１は、本発明の実施例１〜実施例３の無線通信システムの構成図である。この無線通信システムは、マクロゲートウェー装置１と、フェムトゲートウェー装置２と、マクロ基地局３と、フェムト基地局４と、マクロセル５と、フェムトセル６と、移動局７−１〜７−４とを含む。【００２２】
マクロ基地局３、フェムト基地局４は、各々マクロセル５、フェムトセル６を構成する。マクロ基地局３は移動局７−１との通信を行い、フェムト基地局４は移動局７−２〜７−４との通信を行う。マクロ基地局３及びフェムト基地局４の各々が構成するセルは、複数の場合もあるが、本実施形態では、各々１つずつとしている。【００２３】
マクロゲートウェー装置１は、マクロ基地局３と接続される。フェムトゲートウェー装置２は、フェムト基地局４と接続される。そしてこれらのゲートウェー装置１及び２は、上位のネットワーク１０とも接続されており、上位のネットワーク１０と配下の基地局のセル内に存在する移動局７−１〜７−４との通信を制御すると共に、情報の転送を行う。【００２４】
本実施の形態にかかる無線通信システムは、図１に示したものの他に多数のマクロ基地局、フェムト基地局とこれらに対応するマクロセル、フェムトセル、並びに移動局を含むが、図示は省略している。【００２５】
マクロ基地局３には、移動局７−１〜７−４の全てが接続を許可されている。一方、フェムト基地局４には、移動局７−２〜７−４のみの識別子が登録されており、移動局７−２〜７−４のみが登録済移動局として接続を許可されている。【００２６】
特定の移動局のみに接続を許可するために、フェムト基地局４は、共通制御チャネルを用いて、セル識別番号情報を送信すると共に、特定の移動局のみに接続を許可するセルであることを示す接続制限情報を送信する。一方、移動局７−２〜７−４は、接続が許可されたセルのセル識別番号情報を保持する。そして、移動局７−２〜７−４は、フェムトセル６において接続制限情報とセル識別番号が送信されているとき、送信されているセル識別番号が、保持しているセル識別番号と一致する場合に、そのセルをセル選択候補として接続する。【００２７】
マクロ基地局３とフェムト基地局４は、同一の無線周波数を用いて移動局と通信を行なう。そして、マクロ基地局３は、マクロセル５において、下り回線の共通パイロットチャネル（CPICH；Common Pilot Channel）により予め定められた一定の送信電力でパイロット信号を送信する。一方、フェムト基地局４は、共通パイロット信号の送信電力Ptxを自律的に設定し、フェムトセル６においてCPICHにより共通パイロット信号を送信電力Ptxで送信する。フェムト基地局４によるPtxの設定方法は、後述する各実施例において説明する。【００２８】
また、マクロ基地局３及びフェムト基地局４の各々は、下りデータチャネルを用いて下りデータを移動局に送信し、上りデータチャネルを用いて移動局から上りデータを受信する。【００２９】
ここで、フェムト基地局４がフェムトセル６において送信する全てのチャネルの送信電力合計値の最大値Ptx_total_maxをMin(Ptx+Dtotal, Ptx_total_limit) [dBm]とする。ここで、Min(Ptx+Dtotal, Ptx_total_limit) は、Ptx+Dtotal 及び Ptx_total_limit のいずれか小さい方を意味する。また、Dtotalは、予め定められた固定値(例えば10dB)である。Ptx_total_limitは、フェムト基地局４の送信電力容量（送信電力の上限）である。フェムト基地局４は、下りデータチャネルの送信電力を、送信電力合計値が上記の最大値Ptx_total_maxを超えないように制御する。これにより、フェムト基地局４の全送信電力に対する共通パイロットチャネルの送信電力の比率は所定値未満とならない。また、Ptxを抑えることにより、フェムト基地局４の送信電力合計値も抑えられることになり、他の基地局と接続する移動局への干渉を抑制できる。【００３０】
なお、本実施の形態では、上り回線と下り回線で異なる無線周波数を使用するFDD（Frequency Division Duplex）方式を採用するものとするが、上り回線と下り回線で同一の無線周波数を時間的に分けて使用するTDD（Time Division Duplex）方式を採用しても、本発明は全く同様に実施できる。【００３１】
［実施例１］
本実施の形態にかかる無線通信システムは、基地局と移動局との間の通信方式には如何なる方式を採用してもよいが、実施例１では、無線アクセス方式としてCDMA方式を採用し、マクロ基地局３、フェムト基地局４及び移動局７−１〜７−４は、所定の無線周波数帯域に送信信号を拡散して情報を送信する。また、実施例１のマクロゲートウェー装置１には、無線ネットワーク制御装置（Radio Network Controller；RNC）の機能が付加されている。これにより、マクロゲートウェー装置１は、マクロ基地局３に対して、予め設定されたマクロセル５の無線周波数や共通パイロット信号の送信電力などを通知する。【００３２】
図２は、マクロ基地局３の構成の一例を示す図である。図２を参照すると、本実施例のマクロ基地局３は、アンテナ２０、無線送受信部２１、受信データ処理部２２、送信データ処理部２３、有線送受信部２４を備えている。【００３３】
無線送受信部２１は、マクロゲートウェー装置１から有線送受信部２４を介して、構成するセルの無線周波数及び共通パイロット信号の送信電力などの通知を受け、その通知に基づいて共通パイロット信号の送信を行なう。また、無線送受信部２１は、有線送受信部２４と送信データ処理部２３を介して、マクロゲートウェー装置１から下りデータを受け取って、アンテナ２０を介して移動局７−１に向けて送信する。また、無線送受信部２１は、アンテナ２０を介して、移動局７−１から上りデータを受信し、受信データ処理部２２、有線送受信部２４を介して、マクロゲートウェー装置１に送る。【００３４】
図３は、フェムト基地局４の構成の一例を示す図である。図３を参照すると、本実施例のフェムト基地局４は、アンテナ３０、無線送受信部３１、受信データ処理部３２、送信データ処理部３３、有線送受信部３４、無線ネットワーク制御部３５、移動局モード受信部３６、無線ネットワーク制御データ設定部３７を備えている。【００３５】
移動局モード受信部３６は、アンテナ３０を介して、マクロセル５において送信されている共通パイロット信号の受信レベルを測定する。無線ネットワーク制御データ設定部３７は、フェムト基地局４による共通パイロット信号の送信電力を決定する。そのために、無線ネットワーク制御データ設定部３７は、移動局７−２〜７−４に対する測定指示を無線ネットワーク制御部３５に送り、また、その測定報告を無線ネットワーク制御部３５から受け取る。また、無線ネットワーク制御データ設定部３７は、移動局モード受信部３６が測定したマクロセル５においてマクロ基地局３により送信されている共通パイロット信号の受信レベルの通知も受け取る。無線ネットワーク制御データ設定部３７は、決定した共通パイロット信号の送信電力を無線ネットワーク制御部３５に送る。【００３６】
無線ネットワーク制御部３５は、RNCの機能を有しており、上述した移動局７−２〜７−４に対する測定指示の送信と移動局７−２〜７−４からの測定報告の受信を無線送受信部３１とアンテナ３０を介して行なうと共に、使用する無線周波数及び共通パイロット信号の送信電力を無線送受信部３１に通知する。そして、無線送受信部３１は、無線ネットワーク制御部３５から無線周波数及び共通パイロット信号の送信電力値の通知を受け、その通知に基づいて共通パイロット信号の送信を行う。また、無線送受信部３１は、マクロ基地局の無線送受信部２１と同様に下りデータと上りデータの送受信を行なう。【００３７】
図４は、移動局７−１の構成の一例を示す図である。なお、他の移動局７−２〜７−４も図４と同様に構成すればよい。図４を参照すると、本実施例の移動局７−１は、アンテナ４０、無線送受信部４１、受信データ処理部４２、送信データ処理部４３、バッファ部４４を備えている。【００３８】
無線送受信部４１は、アンテナ４０を介して下りデータを受信し、受信データ処理部４２を介して、受信した下りデータをバッファ部４４に送る。バッファ部４４に格納された下りデータは読み出されて、その目的に応じて利用される。また、無線送受信部４１は、送信データ処理部４３を介して、バッファ部４４に格納された上りデータを受け取り、アンテナ４０を介して基地局（マクロ基地局３又はフェムト基地局４）に向けて送信する。【００３９】
図５は、本実施例のフェムト基地局４が共通パイロット信号の送信電力Ptxの設定を行なう手順の一例を示すフロー図である。【００４０】
図５を参照すると、フェムト基地局４は、マクロ基地局３の共通パイロット信号の受信電力Pmacroを測定する（ステップＳ１０１）。フェムト基地局４は、Pmacroの測定を実施するときには、全ての無線信号の送信を停止し、マクロ基地局３から送信される共通パイロット信号を受信する移動局モードとなる。なお、このフロー図でのPmacroなどの記号は全てデシベル値である。【００４１】
ステップＳ１０２では、Pmacroを基準として、Ptxの最大値Ptx_maxをPmacro+Poffset_maxとし、Ptxの最小値Ptx_minをPmacro+Poffset_minとする。但し、Ptxには予め上限値と下限値が定められており、Ptx_maxはその上限値を超えず、Ptx_minはその下限値を下回らないようにする。そして、Ptx = Pmacro＋Poffsetとして、共通パイロット信号の送信電力の送信を開始する（ステップＳ１０３）。ステップＳ１０２とＳ１０３において、Poffset、Poffset_max 及びPoffset_minは、Poffset_max > Poffset > Poffset_minを満足する各々一定の値である。【００４２】
フェムト基地局４が共通パイロット信号の送信を開始することによって、フェムト基地局４と移動局７−２〜７−４との通信が可能となる。したがって、移動局７−２〜７−４が、フェムト基地局４から送信される共通パイロット信号の受信品質レベルを測定することも可能になる。そして、ステップＳ１０４において、移動局７−２〜７−４の各々に関して、その測定実施済フラグF(i)を０とする。ここでi=1,2,3であり、移動局７−２〜７−４の各々を示す。【００４３】
そして、移動局７−２〜７−４の何れかの移動局MS(k)に対して通信要求が発生し、フェムト基地局４との通信を行なった場合には、MS(k)に測定指示を送信する(ステップＳ１０５、Ｓ１０６)。MS(k)は、フェムト基地局４からの指示に応じてフェムト基地局４が送信する共通パイロット信号の受信品質レベルの測定を行い、その測定報告をフェムト基地局４に送信する。そして、フェムト基地局４は、MS(k)からその測定報告を受信し、測定が完了した移動局MS(k)に対応するフラグF(k)=1とする（ステップＳ１０７、Ｓ１０８）。【００４４】
なお、フェムト基地局４が、例えば移動局７−２と通信を開始して直ちにその移動局７−２にステップＳ１０６の測定指示を送信すると、その移動局７−２は、フェムト基地局４との通信中に共通パイロット信号の受信品質レベルの測定を実施することになる。また、フェムト基地局４は、移動局７−２との通信開始後に直ちに移動局７−２に対して測定指示を送信する代わりに、その通信が終了してから、その終了を契機として移動局７−２に測定指示を送信し、その指示を受けて移動局７−２が測定を実施するようにしても良い。【００４５】
フェムト基地局４は、時計（図示せず）を内蔵しており、予め定められた設定時刻が到来するまで、ステップＳ１０５〜Ｓ１０９を繰り返す。ステップＳ１０９において設定時刻が到来すると、フェムト基地局４は、まだ測定報告を行なっていない、つまりF(i)=0となっている移動局MS(i)の全てに対して測定指示を送信し、これらのMS(i)から測定報告を受信する（ステップＳ１１０、Ｓ１１１）。ここで、設定時刻は、ステップＳ１０３で共通パイロット信号の送信を開始した時間から、一定の時間間隔（例えば１時間）の時刻を設定しておく。【００４６】
そして、ステップＳ１１２において、フェムト基地局４は、３つの移動局７−２〜７−４が測定した受信品質レベルの中で最低の受信品質レベルA_minが、予め定められた目標レベルA_targetよりも予め定められたステップ幅Δupだけ小さい値、つまりA_target - Δupと比べて小さいか否かを判定する。ステップＳ１１２の判定結果がＹＥＳである場合、フェムト基地局４は、Ptx_maxを超えない範囲で、Ptxをこれまでの値に比べて Δupだけ大きくする（ステップＳ１１３）。【００４７】
一方、ステップＳ１１２の判定結果がＮＯである場合、最低の受信品質レベルA_minが、予め定められた目標レベルA_targetよりも予め定められたステップ幅Δdnだけ大きい値、つまりA_target + Δdnと比べて大きいか否かを判定する（ステップＳ１１４）。ステップＳ１１４の判定結果がＹＥＳである場合、フェムト基地局４は、Ptx_minを下回らない範囲で、Ptxをこれまでの値に比べて Δdnだけ小さくする（ステップＳ１１５）。そして、ステップＳ１０４に戻って、フェムト基地局４は、Ｓ１０４〜Ｓ１１５の処理を繰り返す。【００４８】
図５に示した処理を繰り返すことで、登録済移動局（移動局７−２〜７−４）の中で最小の受信品質レベルA_minが、予め定められた目標レベルA_targetに徐々に近づくことになる。【００４９】
なお、図５の例では、PtxをΔupとΔdnのステップ幅で増減させることとした。しかしながら、Ptxを固定のステップ幅Δup及びΔdnで増減させる代わりに、目標レベルA_targetと最低の受信品質レベルAminとの差をPtxのこれまでの値に加算することで、Ptxの更新値を得るようにしてもよい。このとき、Ptxの更新後の値を表す式は、例えば、
Ptx=Median(Ptx + A_target - Amin, Ptx_max, Ptx_min)
となる。ここで、関数Median(A, B, C)は、引数に指定された３つの値Ａ、Ｂ及びＣの中で中央値を求める関数である。上述したように、A_targetは受信品質レベルの目標値である。また、Aminは、フェムト基地局４から送信される共通パイロット信号の３つの移動局７−２〜７−４による受信品質レベルの中での最低値である。【００５０】
［実施例２］
実施例２では、フェムト基地局４が、図６のフロー図に示す手順でPtxの設定を行なう。フェムト基地局４によるPtxの設定手順が異なる点を除いて、マクロ基地局３、フェムト基地局４及び移動局７−１〜７−４の構成は、実施例１と同様とすればよい。【００５１】
図６を参照すると、ステップＳ２０１〜Ｓ２０３は、実施例１の図５に示したステップＳ１０１〜Ｓ１０３と同様である。そして、ステップＳ２０４では、フェムト基地局４は、移動局７−２〜７−４の各々に関して、その測定実施カウンタC(i)を０とする。ここでi=1,2,3であり、移動局７−２〜７−４の各々を示す。また、C_min=1とする（ステップＳ２０５）。【００５２】
そして、フェムト基地局４は、移動局７−２〜７−４の何れかの移動局MS(k)に対して通信要求が発生すると、実施例１と同様に、MS(k)にパイロット信号受信レベルの測定指示を送信すると共に、MS(k)から測定報告を受信し、C(i)に１を加算する(ステップＳ２０６〜Ｓ２０９)。【００５３】
フェムト基地局４は、所定の設定時刻が到来するまで、ステップS２０６〜Ｓ２１０を繰り返す。ステップＳ２１０において、設定時刻が到来したことと判定すると、フェムト基地局４は、測定報告回数が少ない、具体的には C(i) < C_minとなっているMS(i)の全てに対してさらなる測定指示を送信する。そして、フェムト基地局４は、これらのMS(i)から追加の測定報告を受信し、C(i)に１を加算する（ステップＳ２１１〜Ｓ２１３）。【００５４】
そして、ステップＳ２１４において、C_minが予め定められたサンプル取得目標値C_targetと等しくないと判定された場合（ステップＳ２１４のＮＯ）、フェムト基地局４は、C_minに１を加算して、ステップＳ２０６以降の処理を繰り返す。一方、ステップＳ２１４において、C_minがサンプル取得目標値C_targetと等しいと判定された場合（ステップＳ２１４のＹＥＳ）、ステップＳ２１６において、フェムト基地局４は、MS(i)の各々に関して、受信品質レベルのXパーセント値Ax(i)を求める。但し、Xは０以上で１００以下の数値である。例えば、X=10であり、測定サンプル数が１００である場合、フェムト基地局４は、受信品質レベルを低い順番に並べて10番目の値を求め、これをAx(i)とする。さらに、フェムト基地局４は、複数のAx(i)の中での最低値Ax_minを求め（ステップＳ２１７）、以下の式によりPtxの更新値を求める（ステップＳ２１８）。
Ptx=Median(Ptx + Ax_target - Ax_min, Ptx_max, Ptx_min)
ここで、Ax_targetは、Xパーセント値Ax(i)に関して予め定められた目標レベルである。そして、フェムト基地局４は、ステップＳ２１８を終了すると、ステップＳ２０４以降の処理を繰り返す。【００５５】
図６に示した処理を繰り返すことで、登録済移動局（移動局７−２〜７−４）の中での受信品質レベルのXパーセント値の最低値Ax_minを、予め定められた目標レベルAx_targetとほぼ等しく保つことができる。【００５６】
なお、図６では、Xパーセント値の目標レベルAx_targetと最低値Ax_minとの差をこれまでのPtxに加算することで、Ptxの更新値を得る例を示した。しかしながら、その代わりに、実施例１と同様に、PtxをΔupとΔdnのステップ幅で増減させることで、Ptxの更新値を得ることとしてもよい。【００５７】
本実施例に示した送信電力Ptxの設定手順によれば、通信品質が最低の移動局を含む全ての登録済移動局７−２〜７−４において、フェムト基地局４が送信するパイロット信号の受信品質レベルが目標レベル未満となる確率をXパーセント以下とすることができる。つまり、各々の移動局７−２〜７−４がパイロット信号の受信品質レベルの測定とその測定結果の報告を複数回数実施するため、移動局によって通信頻度が異なる場合であっても、全ての登録済移動局７−２〜７−４に一定の通信品質を提供することができる。【００５８】
［実施例３］
実施例１及び実施例２では、基地局と移動局との間の通信方式としてWCDMA方式を採用していたが、実施例３では、上り回線はシングルキャリアFDMA（Frequency Division Multiple Access）方式、下り回線はOFDM（Orthogonal Frequency Division Multiplexing）方式をそれぞれ採用する。そして、無線周波数帯域は複数のリソースブロック（PRB；Physical Resource Block）に分割され、マクロ基地局３及びフェムト基地局４に備えられたスケジューラがPRBの割当を行なう。マクロ基地局３及びフェムト基地局４は、割り当てられたPRBを用いて移動局との間のデータ送信を行う。【００５９】
実施例１のマクロゲートウェー装置１には、無線ネットワーク制御装置（Radio Network Controller；RNC）の機能が付加されているが、実施例３では、マクロゲートウェエー装置１にRNC機能は付加されていない。代わりに、RNC機能はマクロ基地局３に付加されている。【００６０】
図７は、実施例３のマクロ基地局３の構成の一例を示す図である。図７を参照すると、本実施例のマクロ基地局３は、無線ネットワーク制御部２５を備えている。無線ネットワーク制御部２５は、各セルが使用する周波数チャネルや、パイロット信号の送信電力値等の制御パラメータを格納しており、これらを無線送受信部２１に通知する。図７の無線送受信部２１は、マクロゲートウェエー装置１ではなく、無線ネットワーク制御部２５から通知される制御パラメータを用いて移動局との無線通信を行う。なお、図７におけるその他の構成要素は、無線送受信部２１に適用される変調方式が異なる点を除いて、図２を用いて説明した実施例１にかかるマクロ基地局３と同様である。また、本実施例にかかるフェムト基地局４及び移動局７−１〜７−４の構成、並びにフェムト基地局４による共通パイロット信号の送信電力の決定手順は、上述した実施例１及び２のいずれかと同様とすればよい。【００６１】
また、上述した実施例１〜３では、フェムト基地局４が送信する共通パイロット信号の受信品質レベルを複数の移動局７-２〜７-４が測定することとした。そして、フェムト基地局４は、複数の測定結果の中で最低の受信品質レベルが目標レベルを上回るように、パイロット信号の送信電力を調整するものとした。複数の移動局７-２〜７-４の各々による共通パイロット信号の受信品質レベルの測定結果に応じて送信電力Ptxを設定すると、フェムト基地局４に近いいずれかの移動局が測定報告を行なった後には、送信電力Ptxが小さくなり、フェムト基地局から遠い移動局では通信品質が劣化する可能性がある。しかしながら、実施例１〜３の構成によれば、複数の登録済移動局７-２〜７-４の中で、通信品質が最低の移動局においても良好な通信品質が得られる。つまり、実施例１〜３の構成は、フェムトセル６内に存在し、フェムト基地局４に接続する全ての登録済移動局７-２〜７-４において良好な通信品質が得られる点で有効である。【００６２】
また、実施例１〜３で述べたフェムト基地局４が実行するパイロット信号の送信電力の決定手順は、フェムト基地局４が送信する共通パイロット信号の移動局７−２〜７−４における受信品質レベルが目標レベルに漸近するように、送信電力Ptxを更新するものであった。このような送信電力の更新制御手順は、目標レベルを移動局７−２〜７−４が最低限必要な品質に対応した値とすることによって、フェムト基地局４の送信電力をできるだけ小さく抑えながら、フェムト基地局４に登録された移動局７−２〜７−４に対して良好な通信品質を提供できる点で有効である。【００６３】
［その他の実施例］
上述した実施例１〜３のさらなる変形例について以下に列挙する。
実施例１〜３において移動局７-２〜７-４が測定する共通パイロット信号の受信品質レベルは、例えば、共通パイロット信号の受信電力、共通パイロット信号の受信SIR（Signal to Interference Ratio）若しくは共通パイロット信号の符号誤り率（BER；Bit Error Rate）、又はこれらの組合せとすればよい。また、パイロット信号の受信品質を評価可能な他のパラメータを使用してもよい。【００６４】
また、実施例１〜３で述べたフェムト基地局４が実行する共通パイロット信号の送信電力の決定手順では、フェムト基地局４による共通パイロット信号の送信電力の最大値Ptx_max及び最小値Ptx_maxを、マクロ基地局３から送信される共通パイロット信号の受信レベルPmacroに応じて決定することとした。このような構成によれば、マクロ基地局３から送信される共通パイロット信号の信号強度がフェムト基地局４の近傍において微弱である場合に、これに併せてフェムト基地局４のパイロット信号の送信電力の最大値Ptx_maxを低減できる。このため、フェムト基地局４の近傍に存在するがフェムト基地局４ではなくマクロ基地局３に接続する移動局に対するフェムト基地局４の干渉を抑制できるという利点がある。【００６５】
しかしながら、必ずしも最大値Ptx_max及び最小値Ptx_maxの両方をPmacroを基準として決定しなくてもよい。例えば、最大値Ptx_maxのみをPmacroに応じて決定し、最小値Ptx_maxは予め定められた一定値としてもよい。【００６６】
また、実施例１〜３では、フェムト基地局４が、マクロ基地局３から送信されるパイロット信号の受信電力Pmacroの測定結果を使用して、共通パイロット信号の送信電力Ptxを決定する例を示した。しかしながら、マクロ基地局３からの共通パイロット信号の受信電力Pmacroは、マクロ基地局３から送信される信号の受信品質を表すパラメータの１つに過ぎない。例えば、フェムト基地局４は、共通パイロット信号の受信電力Pmacroに代えて、又は共通パイロット信号の受信電力Pmacroに加えて、共通パイロット信号の受信SIR（Signal to Interference Ratio）を使用してもよい。例えば、マクロ基地局３からの共通パイロット信号の受信SIR（以下、SIRmacro）を使用する場合、図５のステップＳ１０１及び図６のステップＳ２０１では、SIRmacroを測定すればよい。また、図５のステップＳ１０２及び図６のステップＳ２０２では、Ptx_maxを"SIRmacro + Poffset_max2"により計算し、Ptx_minを"SIRmacro + Poffset_min2"により計算すればよい。また、図５のステップＳ１０３及び図６のステップＳ２０３におけるPtxを"SIRmacro + Poffset2"により計算すればよい。ここで、Poffset_max2、Poffset_min2、及びPoffset2は、Poffset_max2 > Poffset2 > Poffset_min2を満足する各々一定の値である。【００６７】
また、実施例１〜３で述べたフェムト基地局４が実行するパイロット信号の送信電力の決定手順は、マイクロプロセッサ等のコンピュータに基地局制御のためのプログラムを実行させることによって実現可能である。例えば、実施例１の場合、基地局制御プログラムを実行するコンピュータの制御に基づいて、移動局モード受信部３６にマクロ基地局４からのパイロット信号受信レベルの測定を実行させ、得られたパイロット信号受信レベルの測定結果に基づいて自身のパイロット信号の送信電力Ptxの初期値を決定し、当該初期値を無線送受信部３１に設定して、移動局７−２〜７−４との通信を実行させればよい。さらに、コンピュータによる制御に基づいて、フェムト基地局４が送信するパイロット信号の受信レベルの測定を移動局７−２〜７−４に依頼すると共に、移動局７−２〜７−４から受信される測定報告を用いてパイロット信号の送信電力を調整し、調整後の送信電力Ptxを無線送受信部３１に設定すればよい。【００６８】
さらに、本発明は上述した実施の形態のみに限定されるものではなく、既に述べた本発明の要旨を逸脱しない範囲において種々の変更が可能であることは勿論である。【００６９】
この出願は、２００７年１０月９日に出願された日本出願特願２００７−２６３０５０を基礎とする優先権を主張し、その開示の全てをここに取り込む。
【産業上の利用可能性】
【００７０】
本発明は、無線通信システムに適用され、特に、少なくとも一部の基地局が共通パイロット信号の送信電力を自律的に設定する無線通信システム、無線通信方法、及び基地局に適用される。
【図１】
2009047972.tif 000003
【図２】
2009047972.tif 000004
【図３】
2009047972.tif 000005
【図４】
2009047972.tif 000006
【図５】
2009047972.tif 000007
【図６】
2009047972.tif 000008
【図７】
2009047972.tif 000009
【図８】
2009047972.tif 000010
【図９Ａ】
2009047972.tif 000011
【図９Ｂ】
2009047972.tif 000012
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
少なくとも一の移動局が、第一の信号の受信品質レベルの測定結果を第一の基地局に報告し、
前記第一の基地局は、前記測定結果に基づいて、前記少なくとも一の移動局により測定された前記受信品質レベルの中での最低レベルが予め定められた目標レベルに近づくように、前記第一の基地局の送信電力を設定する無線通信システム。
【請求項２】
前記第一の基地局は、前記目標レベルと前記最低の受信品質レベルとの差を前記送信電力の現在値に加えることで前記送信電力を設定することを特徴とする請求項１に記載の無線通信システム。
【請求項３】
前記少なくとも一の移動局の各々は、前記測定と前記報告を複数回数実施し、
前記第一の基地局は、前記少なくとも一の移動局の各々について、前記第一の信号の受信品質レベルのＸパーセント値（ただし、Ｘは０以上、１００以下の数値）を求め、前記少なくとも一の移動局の各々に関する複数の前記Ｘパーセント値の中での最低値が前記目標レベルに近づくように、前記送信電力を設定することを特徴とする請求項１に記載の無線通信システム。
【請求項４】
前記第一の基地局は、前記目標レベルと複数の前記Ｘパーセント値の最低値との差を前記送信電力の現在値に加えることで前記送信電力を設定することを特徴とする請求項３に記載の無線通信システム。
【請求項５】
前記第一の基地局は、第二の基地局から送信される第二の信号の受信品質に基づいて前記送信電力の初期値を決定し、前記初期値で送信を開始することを特徴とする請求項１〜４のいずれか１項に記載の無線通信システム。
【請求項６】
前記第一の基地局は、第二の基地局から送信される第二の信号の受信品質に基づいて前記送信電力の最大値及び最小値の少なくとも一方を設定し、前記最大値と前記最小値の範囲内で前記送信電力の設定を行なうことを特徴とする請求項１〜５のいずれか１項に記載の無線通信システム。
【請求項７】
前記第一の信号の受信品質レベルの測定は、前記少なくとも一の移動局が前記第一の基地局と通信を行なっている間、または前記少なくとも一の移動局と前記第一の基地局との通信の終了を契機として実行されることを特徴とする請求項１〜６のいずれか１項に記載の無線通信システム。
【請求項８】
前記少なくとも一の移動局のうちいずれかが予め定められた時間内に前記測定結果を前記基地局に報告しない場合に、前記第一の基地局は、前記少なくとも一の移動局のうち前記測定結果を未報告の移動局に対して前記第一の信号の受信品質レベルの測定を指示し、
前記未報告の移動局は、前記指示に応じて、前記受信品質レベルの測定を実施することを特徴とする請求項１〜７のいずれか１項に記載の無線通信システム。
【請求項９】
前記第一の基地局は、前記第一の基地局が形成する第一のセルにおける全送信電力に対する前記第一の信号の送信電力の比率が予め定められた所定値未満とならないようにすることを特徴とする請求項１〜８のいずれか１項に記載の無線通信システム。
【請求項１０】
無線アクセス方式としてＣＤＭＡ方式を用いることを特徴とする請求項１〜９のいずれか１項に記載の無線通信システム。
【請求項１１】
前記第一の基地局と前記少なくとも一の移動局は、無線周波数帯域を分割する複数のリソースブロックのうち、少なくとも１つのリソースブロックを用いて情報を送信することを特徴とする請求項１〜９のいずれか１項に記載の無線通信システム。
【請求項１２】
前記第一の基地局によって測定される前記第二の信号の受信品質は、受信電力又は受信ＳＩＲである請求項５若しくは６、又は請求項５若しくは６を引用する請求項７〜１１のいずれか１項に記載の無線通信システム。
【請求項１３】
少なくとも一の移動局が、第一の信号の受信品質レベルの測定結果を第一の基地局に報告し、
前記第一の基地局は、前記測定結果に基づいて、前記少なくとも一の移動局により測定された前記受信品質レベルの中での最低レベルが予め定められた目標レベルに近づくように、前記第一の基地局の送信電力を設定することを特徴とする無線通信方法。
【請求項１４】
前記第一の基地局は、第二の基地局から送信される第二の信号の受信品質に基づいて前記送信電力の最大値及び最小値の少なくとも一方を設定し、前記最大値と前記最小値の範囲内で前記送信電力の設定を行なうことを特徴とする請求項１３に記載の無線通信方法。
【請求項１５】
第一の信号の送信を行うと共に、少なくとも一の移動局との通信を行なう手段と、
前記少なくとも一の移動局から報告される前記第一の信号の受信品質レベルの測定結果に基づいて、前記少なくとも一の移動局により測定された前記受信品質レベルの中での最低レベルが予め定められた目標レベルに近づくように、送信電力を設定する手段とを備える基地局。
【請求項１６】
前記設定する手段は、他の基地局から送信される第二の信号の受信品質に基づいて前記送信電力の最大値及び最小値の少なくとも一方を設定し、前記最大値と前記最小値の範囲内で前記送信電力の設定を行なうことを特徴とする請求項１５に記載の基地局。
【請求項１７】
第一の信号の送信を行うと共に、少なくとも一の移動局との通信を行い、
前記少なくとも一の移動局から報告される前記第一の信号の受信品質レベルの測定結果に基づいて、前記少なくとも一の移動局により測定された前記受信品質レベルの中での最低レベルが予め定められた目標レベルに近づくように、送信電力を設定する、基地局の制御方法。
【請求項１８】
無線送信手段を有する基地局に関する制御処理をコンピュータに実行させる基地局制御プログラムであって、
前記制御処理は、
前記無線送信手段に第一の信号の送信を行わせる処理と、
少なくとも一の移動局から報告される前記第一の信号の受信品質レベルの測定結果に基づいて、前記少なくとも一の移動局により測定された前記受信品質レベルの中での最低レベルが予め定められた目標レベルに近づくように、送信電力を前記無線送信手段に設定する処理とを含む基地局制御プログラム。
【国際調査報告】
2009047972.tif 000013
2009047972.tif 000014
2009047972.tif 000015